【手続補正書】
【提出日】令和2年8月25日(2020.8.25)
【手続補正１】
【補正対象書類名】明細書
【補正対象項目名】全文
【補正方法】変更
【補正の内容】
【発明の詳細な説明】
【発明の名称】忘れ物防止トレイ及び忘れ物防止トレイの設置構造
【技術分野】
【０００１】
本発明は、個室の扉や袖パネルに設置して、個室内での小物類の置き忘れを防止する忘れ物防止トレイと、その忘れ物防止トレイの設置構造に関する。
【背景技術】
【０００２】
近年、トイレ等の個室内にスマートフォンや携帯電話、財布といった各種小物（以下「小物類」という）を置き忘れる事案が増加している。
【０００３】
このような置き忘れを防止する一案として、扉に取り付けられるドア錠が提案されている（特許文献１）。このドア錠は、扉の内側面に取り付けられた本体と、ブースパネル（いわゆる袖パネル）に取り付けられ、本体と係合する係合具を備え、本体に物を載置可能な載置部を備えている。このドア錠は、解錠操作する際等に使用者の視界に入るため、載置した物の置き忘れを防止することができる。
【先行技術文献】
【特許文献】
【０００４】
【特許文献１】特開２００６−２８９００号公報
【発明の概要】
【発明が解決しようとする課題】
【０００５】
しかしながら、前記ドア錠を既設の扉に設置するためには、既設扉から錠を外して付け替えなければならず、既存の錠をそのまま利用することができない。また、載置部が破損或いは欠損等した場合、載置部だけを交換することはできず、新たなドア錠に交換しなければならない。
【０００６】
本発明の解決課題は、個室内での小物類の置き忘れを確実に防止することができ、既設扉や袖パネルへ設置する際に既存の錠をそのまま利用することができ、錠を残したまま交換することができる忘れ物防止トレイと、当該忘れ物防止トレイの設置構造を提供することにある。
【課題を解決するための手段】
【０００７】
［忘れ物防止トレイ］
本発明の忘れ物防止トレイは、扉又は袖パネルに固定される固定プレートと小物類を載せる載せ台と両者（固定プレートと載せ台）を連結する連結手段を備えている。固定プレートと載せ台は連結手段によって連結されている。載せ台は、固定プレートを扉又は袖パネルに固定した状態で、小物類を載置可能な位置（以下「使用位置」とう）と扉側又は袖パネル側に立ち上がった位置（以下「起立位置」という）の間で回動できるようにしてある。なお、本願では、載せ台が使用位置から起立位置に立ち上がる方向を「起立方向」という。
【０００８】
本発明の忘れ物防止トレイは、前記連結手段として弾性部材を備えた連結手段を使用し、載せ台が前記弾性部材によって起立方向に付勢されるようにすることもできる。
【０００９】
本発明の忘れ物防止トレイの固定プレートは、錠固定用の固定手段で当該錠とともに扉又は袖パネルに固定できるようにしてもよい。錠にはスライド錠を用いる。
【００１０】
［忘れ物防止トレイの設置構造］
本発明の忘れ物防止トレイの設置構造は、扉又は袖パネルの手前側に忘れ物防止トレイが配置され、忘れ物防止トレイの手前側に錠が配置され、忘れ物防止トレイが固定手段によって扉又は袖パネルと錠の間に固定され、忘れ物防止トレイの載せ台を使用位置まで倒すと、載せ台が前記錠の上側又は上側及び手前側（室内側）に被さるようにしたものである。
【００１１】
本発明の忘れ物防止トレイの設置構造は、扉又は袖パネルの手前側に忘れ物防止トレイの固定プレートが配置され、その固定プレートの手前側に錠が配置され、当該固定プレートが扉又は袖パネルと錠の間に挟まれた状態で扉又は袖パネルに固定された構造とすることもできる。
【００１２】
本発明の忘れ物防止トレイの設置構造は、固定プレートが錠固定用の固定手段で当該錠とともに扉又は袖パネルに固定された構造とすることもできる。
【発明の効果】
【００１３】
［忘れ物防止トレイ］
本発明の忘れ物防止トレイは、その構成に応じて次の効果を奏する。
（１）扉又は袖パネルの錠の近傍に固定するものであるため目につきやすく、載せ台上の小物類を見落とす可能性が低いため、小物類の置き忘れを効果的に防止することができる。
（２）錠とは別体であるため、破損等したときに、錠を残して忘れ物防止トレイだけを交換することができる。
（３）載せ台が起立方向に付勢されるようにした場合、載せ台の不使用時には載せ台が起立して室内側に突出しないため、邪魔にならない。
（４）錠固定用の固定手段で当該錠とともに扉又は袖パネルに固定できるようにした場合、既設扉又は袖パネルに設置する際に当該既設扉又は袖パネルの錠をそのまま利用することができる。
【００１４】
［忘れ物防止トレイの設置構造］
本発明の忘れ物防止トレイの設置構造は、その構成に応じて次の効果を奏する。
（１）忘れ物防止トレイが解錠時に必ず目につく位置（錠の近傍）に設けられているため、載せ台上の小物類を見落とす可能性が低く、小物類の置き忘れを効果的に防止することができる。
（２）固定プレートが扉又は袖パネルと錠の間に挟まれた状態で扉又は袖パネルに固定されている場合、忘れ物防止トレイが安定しやすく、小物類を載せたときに位置ずれしたり、傾いたりするのを防止することができる。
（３）忘れ物防止トレイがスライド錠用の固定手段でスライド錠と共に固定されている場合、忘れ物防止トレイ用の固定手段を挿通するための孔などを設ける必要がないため、設置が容易である。
【図面の簡単な説明】
【００１５】
【図１】本発明の忘れ物防止トレイを取り付けた扉の一例を示すものであって、載せ台が起立位置にあるときの説明図。
【図２】本発明の忘れ物防止トレイを取り付けた扉の一例を示すものであって、載せ台が使用位置にあるときの説明図。
【図３】図１に示す忘れ物防止トレイの拡大図。
【図４】図２に示す忘れ物防止トレイの拡大図。
【図５】本発明の忘れ物防止トレイの分解説明図。
【図６】本発明の忘れ物防止トレイの設置構造の説明図。
【図７】本発明の忘れ物防止トレイを扉又は袖パネルに取り付けた状態を示すものであって、（ａ）は図１から図６に示す忘れ物防止トレイを取り付けた場合の側面図、（ｂ）は載せ部よりも扉側に前覆い部を備えた忘れ物防止トレイを取り付けた場合の側面図、（ｃ）は載せ部の自由端側に前覆い部を備えた忘れ物防止トレイを取り付けた場合の側面図。
【図８】本発明の使用例の一例を示すものであって、（ａ）はスライド錠が解錠位置にあり、忘れ物防止トレイが起立位置にある状態の正面図、（ｂ）はスライド錠が施錠位置にあり、忘れ物防止トレイが起立位置にある状態の正面図、（ｃ）はスライド錠が施錠位置にあり、忘れ物防止トレイが使用位置にある状態の正面図、（ｄ）は使用位置に倒された忘れ物防止トレイ上に小物類が載せられた状態の正面図。
【発明を実施するための形態】
【００１６】
（実施形態）
本発明の忘れ物防止トレイ１及び忘れ物防止トレイの設置構造の一例を、図面を参照して説明する。本発明の忘れ物防止トレイ１は、図１〜図４のように、個室の扉Ｄ又は袖パネルＳに取り付けて使用するものである。以下では、忘れ物防止トレイ１を扉Ｄに取り付けて使用する場合を一例として説明する。図示する扉Ｄは開き戸であり、扉Ｄに取り付けられた錠はスライド錠５である。
【００１７】
図１及び図２は本発明の忘れ物防止トレイ１を取り付けた扉Ｄの一例を示すものであり、図３は図１の忘れ物防止トレイ１の拡大図、図４は図２の忘れ物防止トレイ１の拡大図である。図１〜図４に示す忘れ物防止トレイ１は、図５及び図６に示すように、扉Ｄに取り付ける固定プレート２と、小物類Ｘを載せる載せ台３と、固定プレート２と載せ台３とを連結する連結手段４を備えている。
【００１８】
前記固定プレート２は、扉Ｄへの取付け時に扉Ｄに宛がう部分である。一例として図５及び図６に示す固定プレート２は、横長方形状のベース部２ａと、ベース部２ａの長手方向両端部に前方側に突設されたベース側フランジ２ｂを備えている。両ベース側フランジ２ｂの上端はベース部２ａの上辺よりも上側に突出しており、その突出部２ｃに連結手段４の連結軸４ａを挿通するための軸挿通孔２ｄが設けられている。ベース部２ａには、扉Ｄへの取付け時にスライド錠５のネジ受け部５ｃ（図６）及びスライド錠５の固定に用いる止め具６（図６）が収まる開口２ｅが設けられている。
【００１９】
前記載せ台３は、小物類Ｘを載せる板状の部材である。一例として図５及び図６に示す載せ台３は、横長方形状の載せ部３ａと、固定プレート２との連結に用いる載せ台側フランジ３ｂを備えている。この実施形態の載せ部３ａは縦５５ｍｍ×横１０５ｍｍ×厚さ６ｍｍ程度としてあるが、この寸法は一例であり、載せ部３ａはこれより大きくすることも小さくすることもできる。また、前記載せ部３ａの形状も一例であり、載せ部３ａはこれ以外の形状（例えば、図７（ｂ）（ｃ）に示すように、スライド錠５の手前側に被さる前側覆い部３ｆを備えた形状）とすることもできる。
【００２０】
載せ部３ａの周縁には、クッション材７を取り付けてある。クッション材７はゴムやシリコンなどの弾性を備える材質製とするのが好ましい。クッション材７の裏面側には連結手段４の付勢スプリング４ｂの一部が係止する係止溝８が設けられている。クッション材７は必要に応じて設ければよく、不要な場合には省略することもできる。クッション材７を省略する場合、係止溝８は載せ部３ａの裏面に設ければよい。係止溝８は省略することもできる。
【００２１】
前記載せ台側フランジ３ｂは、固定プレート２との連結に用いる部分であり、横長の基部３ｃと、当該基部３ｃの長手方向両端に前方側に立ち上げられた二枚の取付け片３ｄを備えている。両取付け片３ｄの間隔は、両ベース側フランジ２ｂの間隔よりも若干広くしてあり、取付け片３ｄの間にベース側フランジ２ｂの突出部２ｃが収まるようにしてある。両取付け片３ｄには、連結手段４の連結軸４ａを挿通するための軸挿通孔３ｅが設けられている。
【００２２】
前記連結手段４は、固定プレート２と載せ台３を連結するものである。一例として図５に示す連結手段４は、連結軸４ａと付勢スプリング４ｂと止め輪４ｃを備えている。連結軸４ａは、突出部２ｃの軸挿通孔２ｄと取付け片３ｄの軸挿通孔３ｅに差し込んだときに、その両端又はいずれか一端が取付け片３ｄの外側に突出する、又は取付け片３ｄの端面と面一になる程度の長さを有する細長の丸棒である。連結軸４ａの長手方向両端寄りの位置には、止め輪４ｃを嵌合する嵌合溝４ｄが設けられている。一方の嵌合溝４ｄの外側には前記付勢スプリング４ｂを装着するスプリング装着部４ｅが設けられている。
【００２３】
前記付勢スプリング４ｂは、載せ台３を起立方向に付勢するための部材である。付勢スプリング４ｂはリング部４ｆがスプリング装着部４ｅに装着され、直線部４ｇが載せ台３の係止溝８に係止される。
【００２４】
前記止め輪４ｃは連結軸４ａの抜けを防止するための部材である。止め輪４ｃは開口部を備えたＣ字状の部材であり、当該開口部を連結軸４ａの嵌合溝４ｄに嵌合することで連結軸４ａに固定される。
【００２５】
前記連結手段４は一例であり、スプリング付の蝶番等、これ以外のものを用いることもできる。連結手段４には付勢スプリング４ｂのような弾性部材を備えないものを用いることもできる。この場合も、載せ台３を起立位置で停止させられるようなものを用いるのが好ましい。なお、連結手段４として弾性部材を備えないものを用いる場合、載せ台３は手動で起立位置まで立ち上げることとなる。
【００２６】
前記固定プレート２と載せ台３は、両取付け片３ｄの間に両突出部２ｃが収まるように配置され、その突出部２ｃの軸挿通孔２ｄ（図５）と取付け片３ｄの軸挿通孔３ｅ（図５）に連結軸４ａ（図５）が挿通され、その連結軸４ａのスプリング装着部４ｅに付勢スプリング４ｂが装着され、連結軸４ａの嵌合溝４ｄに止め輪４ｃが取り付けられることによって連結されている。載せ台３は、係止溝８に付勢スプリング４ｂの直線部４ｇが係止されることによって起立方向に付勢され、載せ台３から小物類Ｘが取り除かれたときに、その付勢スプリング４ｂの付勢力で自動的に起立位置まで復帰するようにしてある。
【００２７】
本発明の忘れ物防止トレイ１は、図３及び図６に示すように、扉Ｄとスライド錠５の間に取り付けられる。一例として図６に示すスライド錠５は、取付け座５ａと、当該取付け座５ａに取り付けられ、取付け座５ａの長手方向にスライド可能なスライド体５ｂと、取付け座５ａの背面側に設けられたネジ受け部５ｃを備えている。なお、図示は省略しているが、袖パネルＳにはスライド体５ｂが嵌合する受け部が設けられている。
【００２８】
前記忘れ物防止トレイ１は、固定プレート２が扉Ｄの前面に配置され、その固定プレート２の前面にスライド錠５の取付け座５ａが宛がわれ、当該取付け座５ａに設けられたネジ受け部５ｃがベース部２ａの開口２ｅにセットされ、そのネジ受け部５ｃに扉Ｄの外側から挿通された止め具６がねじ込まれることによって、扉Ｄに固定されている。
【００２９】
以上のように取り付けられた忘れ物防止トレイ１は、載せ台３を使用位置まで倒したときに、図７（ａ）のように、当該載せ台３がスライド錠５の上側に被さり、その状態ではスライド体５ｂを操作できない又は操作しにくい構造となる。載せ台３は、スライド錠５の上側のみならず、スライド錠５の上側及び手前側に被さるようにすることもできる。いずれの場合も、スライド体５ｂを操作して解錠するには、載せ台３から小物類Ｘを取り上げて、スライド体５ｂの上側又は上側及び手前側に被さった載せ台３を起立位置まで復帰させる必要があり、利用者にこの動作をさせることによって、小物類Ｘの置き忘れを効果的に防止することができる。また、前記要領で取り付けられた忘れ物防止トレイ１は、固定プレート２が扉Ｄとスライド錠５の間に挟持されるため安定しやすい構造となる。
【００３０】
（その他の実施形態）
前記実施形態では、扉Ｄに取り付けられた錠がスライド錠５の場合を一例としているが、本発明の忘れ物防止トレイ１は、スライド錠５以外の錠を備えた扉Ｄに取り付けて使用することもできる。同様に、本発明の忘れ物防止トレイの設置構造も、スライド錠５以外の錠を備えた構造とすることもできる。なお、本発明の忘れ物防止トレイ１は、袖パネルＳに取り付けて使用することができる。本願の袖パネルＳにはドア枠も含まれる。
【００３１】
本発明の忘れ物防止トレイ１はトイレブースのほか、衣料品店の試着室や運動施設の更衣室といった各種個室の扉Ｄに取り付けて使用することができる。試着室に設けた場合には、メガネや腕時計等の置き忘れを、更衣室に設けた場合には、水泳帽やゴーグル、心拍計等の置き忘れを防止することができる。
【００３２】
（使用方法：忘れ物防止トレイに小物類を載せる場合）
本発明の忘れ物防止トレイ１に小物類Ｘを載せる場合は、次のようにする。
（１）解錠位置にあるスライド体５ｂ（図８（ａ））を施錠方向（図中右方向）にスライドさせて施錠する（図８（ｂ））。
（２）施錠後、載せ台３を使用位置まで倒す（図８（ｃ））。
（３）使用位置まで倒した載せ台３の載せ部３ａに小物類Ｘを載せる。
【００３３】
（使用方法：扉を解錠して退出する場合）
本発明の忘れ物防止トレイ１を備えた扉Ｄを解錠して退出する場合は、次のようにする。
（１）載せ台３（図８（ｄ））から小物類Ｘを取り上げ（図８（ｃ））、載せ台３を起立位置まで復帰させる（図８（ｂ））。
（２）載せ台３が起立位置に復帰した後、スライド体５ｂを解錠方向（図中左方向）にスライドさせて解錠し（図８（ａ））、扉Ｄを開けて退出する。
【産業上の利用可能性】
【００３４】
本発明の忘れ物防止トレイ１は、トイレブースや衣料品店の試着室、運動施設の更衣室をはじめ、各種個室の扉Ｄに取り付けて使用することができる。
【符号の説明】
【００３５】
１      忘れ物防止トレイ
２      固定プレート
２ａ    ベース部
２ｂ    ベース側フランジ
２ｃ    突出部
２ｄ    軸挿通孔
２ｅ    開口
３      載せ台
３ａ    載せ部
３ｂ    載せ台側フランジ
３ｃ    基部
３ｄ    取付け片
３ｅ    軸挿通孔
３ｆ    前側覆い部
４      連結手段
４ａ    連結軸
４ｂ    付勢スプリング
４ｃ    止め輪
４ｄ    嵌合溝
４ｅ    スプリング装着部
４ｆ    リング部
４ｇ    直線部
５      スライド錠
５ａ    取付け座
５ｂ    スライド体
５ｃ    ネジ受け部
６      止め具
７      クッション材
８      係止溝
Ｄ      扉
Ｓ      袖パネル
Ｘ      小物類
【手続補正２】
【補正対象書類名】特許請求の範囲
【補正対象項目名】全文
【補正方法】変更
【補正の内容】
【特許請求の範囲】
【請求項１】
個室の扉又は袖パネルに取り付けて使用する忘れ物防止トレイであって、
前記扉又は袖パネルに固定される固定プレートと、小物類を載せる載せ台と、前記固定プレートと載せ台を連結する連結手段とを備え、
前記固定プレートと載せ台とが前記連結手段によって連結され、
前記載せ台は、前記固定プレートを扉又は袖パネルに固定した状態で、小物類を載置可能な使用位置と扉側又は袖パネル側に立ち上がる起立位置の間で回動可能であり、
前記固定プレートは、扉又は袖パネルと錠の間に挟んだ状態で、扉又は袖パネルに固定することができる、
ことを特徴とする忘れ物防止トレイ。
【請求項２】
請求項１記載の忘れ物防止トレイにおいて、
固定プレートと載せ台とが弾性部材を備えた連結手段で連結され、
前記載せ台は、前記弾性部材によって扉側又は袖パネル側に立ち上がる方向に付勢されている、
ことを特徴とする忘れ物防止トレイ。
【請求項３】
請求項１又は請求項２記載の忘れ物防止トレイにおいて、
錠がスライド錠である、
ことを特徴とする忘れ物防止トレイ。
【請求項４】
忘れ物防止トレイの扉又は袖パネルへの設置構造であって、
前記忘れ物防止トレイと、前記扉用の錠と、固定手段を備え、
前記忘れ物防止トレイが、請求項１から請求項３のいずれか１項に記載の忘れ物防止トレイであり、
前記扉又は袖パネルの手前側に忘れ物防止トレイが配置され、
前記忘れ物防止トレイの手前側に前記錠が配置され、
前記固定手段によって、前記忘れ物防止トレイが前記扉又は袖パネルと錠の間に固定され、
前記忘れ物防止トレイの載せ台を使用位置まで倒すと、当該載せ台が前記錠の上側又は上側及び手前側に被さる、
ことを特徴とする忘れ物防止トレイの設置構造。
【請求項５】
請求項４記載の忘れ物防止トレイの設置構造において、
扉又は袖パネルの手前側に忘れ物防止トレイの固定プレートが配置され、
前記固定プレートの手前側に錠が配置され、
前記固定プレートが前記扉又は袖パネルと錠の間に挟まれた状態で扉又は袖パネルに固定された、
ことを特徴とする忘れ物防止トレイの設置構造。
【請求項６】
請求項４又は請求項５記載の忘れ物防止トレイの設置構造において、
固定プレートが錠固定用の固定手段で当該錠とともに扉又は袖パネルに固定された、
ことを特徴とする忘れ物防止トレイの設置構造。